(57)【要約】      （修正有）【課題】煮物料理の加熱調理と保温、蒸し物料理の加熱調理と保温、調理室を乾燥し、焼き魚等を乾燥保温、食べ残し食品の加熱・殺菌、空になった調理室の高温乾燥殺菌、食器乾燥器として、使用できる調理室付き電気加熱器を提供する。【解決手段】調理室２と、非調理室３とを併設した調理室付き電気加熱器１において、調理室２の前面には開閉ドアを設け、調理室２の底面には加熱プレート５を敷設し、非調理室３内には、加熱器７と、ファン８を設け、調理室２と非調理室３とは、流入用、流出用の連通管６ａ，６ｂを設け、加熱器７により熱せられた空気をファン８により強制循環させることを特徴とする。【選択図】図１
0003198114.tif 000002
【実用新案登録請求の範囲】
【請求項１】
調理室（２）と、非調理室（３）とを併設した調理室付き電気加熱器（１）において、  該調理室（２）の前面には開閉ドア（４）を設け、
該調理室（２）の底面には加熱プレート（５）を敷設し、
前記非調理室（３）内には、加熱器（７）と、ファン（８）を設け、
前記調理室（２）と非調理室（３）とは、流入用、流出用の連通管（６ａ，６ｂ）を設け、
加熱器（７）により熱せられた空気をファン（８）により強制循環させる
ことを特徴とする調理室付き電気加熱器。
【請求項２】
調理室（２）と、非調理室（３）とを併設した調理室付き電気加熱器（１′）において  該調理室（２）と、非調理室（３）とを分岐して設け、
該調理室（２）の前面に開閉ドア（４）を設け、
該調理室（２）の底面には加熱プレート（５）を設け、
前記非調理室（３）内には、加熱器（７）、ファン（８）、冷却器（９）とを設け、
前記調理室（２）と非調理室（３）とは、流入用、流出用の連通管（６ａ，６ｂ）を設け、
前記調理室（２）内に、非調理室（３）の加熱器（７）による高熱空気を、あるいは、冷却器（９）による冷却空気をファン（８）により、強制循環させる
ことを特徴とする調理室付き電気加熱器。
【請求項３】
上記調理室を有する電気加熱器（１，１′）を複数台、並設そして／あるいは、積層して設ける
ことを特徴とする請求項２または３記載の調理室付き電気加熱器。
【考案の詳細な説明】
【技術分野】
【０００１】
この考案は、調理室付き電気加熱器に関するものであり、特に、熱源が電気による加熱器であって、且つ調理室を有し、該調理室で種々の調理が可能な電気加熱器である。
【背景技術】
【０００２】
従来、加熱器とは、ガスレンジ、かまど、七輪、石油コンロ、天火、バーベキューグリル等をいい、加熱する料理を調理する際には欠かせない器具である。
【０００３】
そもそも、調理とは、食材を加工し料理を作る工程、あるいは行為をいうものであるが、これらは通常、キッチンにおける調理台で材料を細かく切ったり、皮を剥いたりする等の下処理等を行い、次に、該調理台に併設された加熱器を使用して熱処理をして完成させるものである。
【０００４】
しかし、広さの限られたキッチンで種々の料理を一度に調理することは煩雑であり、ガスの場合、バーナーも複数の口数を有する加熱器が必要となる。
【０００５】
尚、調理物を収納する加熱庫を有する加熱調理器は存在している。例えば、特許文献１のように。
【先行技術文献】
【特許文献】
【０００６】
【特許文献１】特開２０１４−１９０６６５号公報
【考案の概要】
【考案が解決しようとする課題】
【０００７】
そこで、この考案の課題は、調理室付き電気加熱器において、煮物料理や蒸し物料理の加熱調理と保温を行い、調理室を乾燥し、焼き魚等を乾燥保温したり、食べ残し食品の加熱・殺菌や、空になった調理室の高温乾燥殺菌をし、あるいは、食器乾燥器としても使用でき多機能である，調理室付き電気加熱器を開発・提供することにある。
【課題を解決するための手段】
【０００８】
この考案の第１の観点に係る調理室付き電気加熱器は、
調理室と、非調理室とを併設した調理室付き電気加熱器において、
該調理室の前面には開閉ドアを設け、
該調理室の底面には加熱プレートを敷設し、
前記非調理室内には、加熱器と、ファンを設け、
前記調理室と非調理室とは、流入用、流出用の連通管を設け、
加熱器により熱せられた空気をファンにより強制循環させる
ことを特徴とする。
【０００９】
さらに、この考案の第２の観点に係る調理室付き電気加熱器は、
調理室と、非調理室とを併設した調理室付き電気加熱器において
該調理室と、非調理室とを分岐して設け、
該調理室の前面に開閉ドアを設け、
該調理室の底面には加熱プレートを設け、
前記非調理室内には、加熱器、ファン、冷却器とを設け、
前記調理室と非調理室とは、流入用、流出用の連通管を設け、
前記調理室内に、非調理室の加熱器による高熱空気を、あるいは、冷却器による冷却空気をファンにより、強制循環させる
ことを特徴とする。
【００１０】
さらに、
上記調理室付き電気加熱器を複数台、並設そして／あるいは、積層して設ける
ことを特徴とする。
【考案の効果】
【００１１】
この考案によると、調理室付き電気加熱器（１）における調理室（２）に、非調理室（３）からファン（８）によって空気を循環させるものであり、加熱器（７）により熱風を、あるいは冷却器（９）により冷風を循環させることにより、熱による調理はもちろんのこと、冷風により調理室（２）を冷蔵・冷凍にすることも可能であり、さらに室内を乾燥、乾燥殺菌等も行なえる等極めて有益なる効果を奏する。
【００１２】
また、この考案によると、調理室付き電気加熱器（１）における調理室（２）内で調理するため放熱が少なく熱効率がよく、加熱異常に対する安全対策（火災防止対策）がしやすい。さらに、調理室（２）内で調理すると臭いがこもり料理に付く欠点を、外気と換気することにより改善できる等の効果を有する。
【００１３】
さらに、この考案の調理室付き電気加熱器（１）を、複数個設置（併設あまいは積層）することにより、狭いスペースでの調理作業の効率アップが図れる等の優れた効果を有する。
【図面の簡単な説明】
【００１４】
【図１】この考案の一実施例を示し、（Ａ）は、未調理時の正面図であり、（Ｂ）は、鍋を入れた状態の正面図である。（Ｃ）は、茶碗蒸しを入れた状態の正面図である。
【図２】この考案の一実施例を示し、（Ａ）は、調理時の室内空気の循環状態を示す正面図であり、（Ｂ）は、室内を乾燥中の状態を示す正面図である。
【図３】この考案の一実施例を示すグラフ図である。
【図４】この考案の他の実施例を示す正面図である。
【図５】この考案のさらに他の実施例を示す正面図である。
【図６】この考案に使用する調理室の開閉ドアの一実施例を示す斜視図であり、（Ｂ）は調理室の開閉ドアの他の実施例を示す斜視図である。
【図７】この考案の他の実施例を示す斜視図である。
【考案を実施するための形態】
【００１５】
以下、この考案について詳細に説明する。尚、この考案においては、以下の記述に限定されるものではなく、この考案の要旨を逸脱しない範囲においては適宜変更可能である。
【実施例】
【００１６】
先ず、この考案の一実施例を図１，図２に基づいて詳述すると、調理室（２）と、非調理室（３）とを併設した調理室付き電気加熱器（１）において、該調理室（２）と、非調理室（３）とを分岐して設け、該調理室（２）の前面には開閉ドア（４）を設け、該調理室（２）の底面には加熱プレート（５）を敷設し、前記非調理室（３）内には、加熱器（７）と、ファン（８）を設け、前記調理室（２）と非調理室（３）とは、流入用、流出用の連通管（６ａ，６ｂ）を設け、加熱器（７）により熱せられた空気をファン（８）により強制循環させることを特徴とする調理室付き電気加熱器から構成されるものである。
【００１７】
尚、前記調理室（２）は、図１（Ａ）に示すように、配管（10）の中途にあるバルブ（11ａ），（11ｂ）を閉じることによりファン（８）によって空気を循環させ、料理をする際は、前記調理室（２）の底面に設けた加熱プレート（５）と、非調理室（３）内に設けた加熱器（７）により温度調節して行なうものである。
【００１８】
さらに、前記調理室（２）は、温度を時間経過に従い、以下の表１のように自由に設定できる。
【００１９】
【表１】
0003198114.tif 000003
【００２０】
１回目は１時間経過して調理を開始。２回目は調理を開始して加熱プレートを連動して調理室（２）の温度を１００°Ｃで１時間加熱、３回目は６０°Ｃで料理を３時間保温することを表すものである。実際の調理室（２）の温度変化は、その一例として図３のように推測されるものである。
【００２１】
また、図２（Ａ）、（Ｂ）に示すように、調理室（２）の乾燥、殺菌ができる乾燥方法は、調理室（２）内の空気の循環量を少なめに、バルブ（11ｂ）を調整して外気を取り入れ、調理室（２）内の湿気を含んだ空気を、排出穴（６ｄ）より排出する。空気の加熱は加熱器（７）で行なうものである。
【００２２】
図１（Ｂ）に示すように、調理室（２）の加熱プレート（５）上に鍋（Ｔ）を載置し、煮物を作っている状態を示し、さらに、図１（Ｃ）に示すように、調理室（２）の加熱プレート（５）に水を入れた金属製容器（Ｗ）を載置することにより、蒸気を発生させ、その上に複数段の網棚（Ｖ）に設けた茶碗蒸の具材をいれた蒸し茶碗（Ｕ）を設けて、茶碗蒸を作ることも可能である。そして、調理室（２）を密閉性をよくすることにより熱効率を高めることができる。
【００２３】
また、前記加熱プレート（５）は、電磁調理器または電気ヒーターであり、加熱器（７）の熱源と、それぞれ同一あるいは、異なっていてもよいものである。
【００２４】
次に、この考案の他の実施例を図４，図５に基づいて詳述すると、調理室付き電気加熱器（１′）に、調理室（２）と、非調理室（３）とを分岐して設け、該調理室（２）の前面に開閉ドア（４）を設け、該調理室（２）の底面には加熱プレート（５）を設け、前記非調理室（３）内には、加熱器（７）、ファン（８）、冷却器（９）とを設け、前記調理室（２）と非調理室（３）には、流入用、流出用の連通管（６ａ，６ｂ）を設け、前記調理室（２）内に、非調理室（３）の加熱器（７）による高熱空気を、あるいは、冷却器（９）による冷却空気をファン（８）により、強制循環させることを特徴とする調理室付き電気加熱器から構成されるものである。
【００２５】
尚、前記調理室（２）の天井面には、遠赤外線ヒーター（Ｘ）を取付けることも可能である。
【００２６】
この考案で、調理室（２）に魚等の食材（Ｙ）をトレー（Ｚ）上に載置し、加熱プレート（５）と赤外線ヒーター（Ｘ）で焼き、調理して保留でき、さらに、この保留した食材（Ｙ）を冷凍保存する場合には、図４に示すように、トレー（Ｚ）に魚を載置し、加熱プレート（５）はＯＦＦとし、配管（10）上のバルブ（11ａ）と、バルブ（11ｂ）を閉め、ファン（８）と加熱器（７）との間に位置するバルブ（11ｃ）を閉じ、冷却器（９）を稼働させ、冷めたい空気を流入用の連通管（６ａ）を通じて調理室（２）内に送り、また、調理室（２）の空気は流出用の連通管（６ｂ）より、ファン（８）に戻るよう構成することにより、冷凍保存が可能となるものである。
【００２７】
尚、調理室付き電気加熱器（１）（１′）の各調理室（２）の前面に設けた開閉ドア（４）は、図６（Ａ）に示したように、前後方向に開閉したり、あるいは、図６（Ｂ）に示すように左右方向に開閉するように構成してもよいものである。
【００２８】
また、前記調理室（２）には、前記非調理室（３）内に設けた加熱器（７）およびファン（８）と連通する、流入用、流出用の連通管（６ａ，６ｂ）を設けているが、これら加熱器（７）およびファン（８）とは、配管（10）と連通しており、さらに、配管（10）は非調理室（３）の外部に連通する吸入穴（６ｃ）と排出穴（６ｄ）とも連通して設けている。
【００２９】
さらに、この考案は、上記調理室を有する加熱電気器における調理ボックス本体を、複数台、並設、または、積層して設けることにより、同時に種々の加熱料理を自動的に行なうことが出来、例えば、３室設ければ、加熱条件の異なる、茶碗蒸し、温泉たまご、野菜の煮物を同時に作ることが可能である。
【００３０】
また、調理室（２）に特殊機能、例えば、冷凍・冷蔵・電子レンジ・赤外線ヒーター・圧力鍋など組み合わせることにより、食材の保管から調理・保温まで出来るものである。  それにより、食材の冷凍・解凍・加熱・保温の一連の工程が出来るものである。
【００３１】
さらに、タイマーを設ければ調理開始の時刻を設定できるし、また、遠隔操作に必要な機器を設け、携帯電話（スマートフォン）からの操作も可能となる。
【００３２】
また、調理室（２）を加熱したり冷却するとき、ファン（８）と冷却器（９）の間に、バルブ（11ｅ）を設けてもよい。
【産業上の利用可能性】
【００３３】
この考案の調理室付き電気加熱器の技術を確立し、実施することにより、産業上利用できるものである。
【符号の説明】
【００３４】
１，１′調理室付き電気加熱器
２  調理室
３  非調理室
４  開閉ドア
５  加熱プレート
６ａ  流入用の連通管
６ｂ  流出用の連通管
６ｃ  吸入穴
６ｄ  排出穴
７  加熱器
８  ファン
９  冷却器
10  配管
11ａ，11b ，11c ，11d ，11ｅ  バルブ
Ｔ  鍋
Ｕ  蒸し茶碗
Ｖ  網棚
Ｗ  金属製容器
Ｘ  遠赤外線ヒーター
Ｙ  食材
Ｚ  トレー
【図１】
0003198114.tif 000004
【図２】
0003198114.tif 000005
【図３】
0003198114.tif 000006
【図４】
0003198114.tif 000007
【図５】
0003198114.tif 000008
【図６】
0003198114.tif 000009
【図７】
0003198114.tif 000010
【手続補正書】
【提出日】平成27年4月9日(2015.4.9)
【手続補正１】
【補正対象書類名】実用新案登録請求の範囲
【補正対象項目名】請求項３
【補正方法】変更
【補正の内容】
【請求項３】
上記調理室を有する電気加熱器（１，１′）を複数台、並設そして／あるいは、積層して設ける
ことを特徴とする請求項１または２記載の調理室付き電気加熱器。